(57)【要約】【課題】直列接続された多数の発光ダイオードの同期をとってイルミネーションとしての魅力を十分に引き出し、かつ、発光ダイオードの数を容易に増やすことで利便性に富んだ電飾ケーブル及び電飾ケーブル用制御装置を提供する。【解決手段】複数の電飾ケーブルを連結可能な連結手段として、３端子ピンを有する第１連結手段１０ａ，１０ｂと、２端子ピンを有する第２連結手段１１ａ乃至１１ｄと、を有する電飾ケーブル１を、一の第１連結手段１０ａを電飾ケーブル用制御装置２と接続して発光ダイオードの点灯・点滅制御を行う。第１連結手段は３端子ピンを有する他の電飾ケーブルに、第２連結手段は２端子ピンを有する他の電飾ケーブルに、それぞれ連結可能である。【選択図】図１
2009058841.tif 000002
【特許請求の範囲】
【請求項１】
３線によって両端に接続される、３端子ピンを有する第１連結手段と、
２線によって接続される、２端子ピンを有する第２連結手段と、
を有し、
前記第１連結手段は３端子ピンを有する他の電飾ケーブルに、前記第２連結手段は２端子ピンを有する他の電飾ケーブルに、それぞれ連結可能な電飾ケーブルであって、
前記３線の１線と前記２線の１線を、グランド線として共用し、
前記３線の１線を、発光ダイオードのアノード側と接続し、
前記３線の１線を、前記第２連結手段を介して２線の１線に接続される発光ダイオードのアノード側に接続される電力供給線として構成してなることを特徴とする電飾ケーブル。
【請求項２】
請求項１記載の前記第１連結手段と接続される電飾ケーブル用制御装置であって、
発光ダイオードのアノード側と接続される線に供給する電力供給パターンを複数記憶した記憶手段を有し、押圧手段による押圧操作によって前記電力供給パターンを切り替えることを特徴とする電飾ケーブル用制御装置。
【請求項３】
前記記憶手段は、最後に選択された電力供給パターンを記憶し、次回点灯時に当該電力供給パターンによって電力を供給することを特徴とする請求項２記載の電飾ケーブル用制御装置。
【発明の詳細な説明】
【技術分野】
【０００１】
本発明は、多色光による物品の強調表示、街路樹や宣伝広告表示塔やクリスマスツリー等に用いられる電飾ケーブルに関する。
【背景技術】
【０００２】
近年、イルミネーションとして利用される電飾ケーブルには発光ダイオード（ＬＥＤ）が用いられており、発光ダイオードの低消費電力性から、多数の発光ダイオードを一連に接続したものが使用されている。具体的には、図３に示すように、多数の発光ダイオードＬＥＤを導線等の導体で直列に接続した構造で、例えば発光ダイオードが１００個直列接続されているものがある。
【０００３】
【特許文献１】特開平８−１６０８９５号公報
【発明の開示】
【発明が解決しようとする課題】
【０００４】
しかしながら、多数の発光ダイオードを一連に直列接続しただけでは、イルミネーションとしての魅力に欠ける。この点、多数の発光ダイオードを一連に直列接続した電飾ケーブルを多数用意することで、発光ダイオードが放つ光を強調することができるものの、多数用意した個々の電飾ケーブルの同期をとることは難しく、依然としてイルミネーションとしての魅力に欠けるものとなる。
【０００５】
また、既製の電飾ケーブルでは、発光ダイオードの数を増やそうとして延長することを考慮しておらず、その利便性に欠けていた。仮に延長可能であったとしても、電力供給を十分に行うことができるかということが懸念される。
【０００６】
本発明は、このような点に鑑みてなされたものであり、その目的は、直列接続された多数の発光ダイオードの同期をとってイルミネーションとしての魅力を十分に引き出し、かつ、発光ダイオードの数を容易に増やすことで利便性に富んだ電飾ケーブル及び電飾ケーブル用制御装置を提供することにある。
【課題を解決するための手段】
【０００７】
以上のような課題を解決するために、本発明は、複数の電飾ケーブルを連結可能な連結手段として、３端子ピンを有する第１連結手段と、２端子ピンを有する第２連結手段と、を有する電飾ケーブルを、一の第１連結手段を電飾ケーブル用制御装置と接続して発光ダイオードの点灯・点滅制御を行うものである。
【０００８】
より具体的には、本発明は、以下のものを提供する。
【０００９】
（１）  ３線によって両端に接続される、３端子ピンを有する第１連結手段と、２線によって接続される、２端子ピンを有する第２連結手段と、を有し、前記第１連結手段は３端子ピンを有する他の電飾ケーブルに、前記第２連結手段は２端子ピンを有する他の電飾ケーブルに、それぞれ連結可能な電飾ケーブルであって、前記３線の１線と前記２線の１線を、グランド線として共用し、前記３線の１線を、発光ダイオードのアノード側と接続し、前記３線の１線を、前記第２連結手段を介して２線の１線に接続される発光ダイオードのアノード側に接続される電力供給線として構成してなることを特徴とする電飾ケーブル。
【００１０】
本発明によれば、３端子ピンを有する第１連結手段によって３端子ピンを有する他の電飾ケーブルに、２端子ピンを有する第２連結手段によって３端子ピンを有する他の電飾ケーブルに、それぞれ連結可能であることから、接続される発光ダイオードの数を容易に増やすことで利便性に富んだものとなる。
【００１１】
また、電飾ケーブルの連結にあたっては、第１連結手段同士を接続する３線のうちの１線を電力供給線として、第２連結手段を介して２線の１線に接続される発光ダイオードに電力を供給するための導体を用いることで、単純に電飾ケーブルを直列接続していくよりも電極供給の安定化を図ることができ、接続される発光ダイオードの数を一層容易に増やすことが可能となる。
【００１２】
さらに、３線と２線の計５線で構成される電飾ケーブルよりも、グランド線を共用した４線として配線数を少なくすることで、配線の煩わしさを軽減することができ、利便性に富んだものとなる。
【００１３】
（２）  （１）記載の前記第１連結手段と接続される電飾ケーブル用制御装置であって、発光ダイオードのアノード側と接続される線に供給する電力供給パターンを複数記憶した記憶手段を有し、押圧手段による押圧操作によって前記電力供給パターンを切り替えることを特徴とする電飾ケーブル用制御装置。
【００１４】
本発明によれば、複数種類の発光ダイオードの点灯・点滅パターンを演ずることができるように、発光ダイオードのアノード側と接続される線に供給する電力供給パターンを複数記憶した記憶手段を有し、押圧手段による押圧操作によって電力供給パターンを切り替えることで、自分の好みにあった点灯・点滅パターンを選択することができ、イルミネーションとしての魅力を十分に引き出すことができる。
【００１５】
（３）  前記記憶手段は、最後に選択された電力供給パターンを記憶し、次回点灯時に当該電力供給パターンによって電力を供給することを特徴とする電飾ケーブル用制御装置。
【００１６】
本発明によれば、自分の好みにあった点灯・点滅パターンを毎回選択する煩わしさを解消することができるように、記憶手段によって最後に選択された電力供給パターンを記憶しておき、次回点灯時に当該電力供給パターンによって電力を供給することができる。
【発明の効果】
【００１７】
以上説明したように、本発明は、複数の電飾ケーブルを連結可能な連結手段によって接続される発光ダイオードの数を容易に増やすことができ、また、連結される別の電飾ケーブルに別途電力供給可能な電力供給線を用意しておくことで電力供給の安定化を図ることができ、グランド線を共用して配線数を少なくすることで、配線の煩わしさを軽減することができるといった、利便性に富んだものとなる。
【００１８】
また、自分の好みにあった点灯・点滅パターンを選択して、その点灯・点滅パターンを次回以降も自動的に演ずることができ、イルミネーションとしての魅力を十分に引き出すことができる。
【発明を実施するための最良の形態】
【００１９】
以下、本発明を実施するための最良の形態について、図面に基づいて説明する。
【００２０】
図１は、本発明の実施の形態に係る電飾ケーブル１及び電飾ケーブル用制御装置２を含む電飾ケーブルユニットの結線図である。
【００２１】
［電飾ケーブル］
電飾ケーブル１は、第１連結手段１０ａ，１０ｂと、第２連結手段１１ａ乃至１１ｄと、導体１２ａ乃至１２ｄと、発光ダイオードＤ１乃至Ｄ２５と、から構成される。電飾ケーブル１は、発光ダイオードに電力を供給するための電源を有さず、第１連結手段等を介して別に接続された電力供給媒体（電飾ケーブル用制御装置２の電源プラグ２３）によって電力を受給することのできる受動式電飾ケーブルである。
【００２２】
第１連結手段１０ａ，１０ｂは、３端子の雄又は雌のピンを有しており、導体１２ａ，１２ｂ，１２ｃの３線接続によって互いに接続されている。第１連結手段１０ａは，１０ｂは、他の電飾ケーブル（３線接続の電飾ケーブル）の第１連結手段と連結するか、又は電飾ケーブル用制御装置２の接続手段２１と接続することができる。図１においては、第１連結手段１０ａは接続手段２１と接続して電力を受給し、第１連結手段１０ｂは図示しない他の電飾ケーブルの第１連結手段と連結して、他の電飾ケーブルに電力を供給する。
【００２３】
第２連結手段１１ａ乃至１１ｄは、２端子の雄又は雌のピンを有しており、導体１２ａと１２ｃ（１２ｄ）の２線接続によって直列に接続されている。第２連結手段１１ａ乃至１１ｄは、他の電飾ケーブル（２線接続の電飾ケーブル）の第２連結手段と連結して、他の電飾ケーブルに電力を供給する。
【００２４】
導体１２ａは、２線接続の電飾ケーブルに接続された発光ダイオードのアノード側に接続される電力供給線として機能する。すなわち、第２連結手段１１ａ乃至１１ｄを介して直列接続される２線接続の電飾ケーブルに電力を供給して、発光ダイオードを発光させる、２線用電力供給線として機能する。図１において、縦方向に電飾ケーブルを連結して発光ダイオードを接続していくときでも、別途電力供給可能な電力供給線によって電力供給の安定化を図ることができる。
【００２５】
導体１２ｂは、３線接続の電飾ケーブル１に接続された発光ダイオードのアノード側に接続される電力供給線として機能する。すなわち、第１連結手段１０ａ，１０ｂを介して接続される３線接続の電飾ケーブルに電力を供給して、発光ダイオードを発光させる、３線用電力供給線として機能する。図１において、横方向に電飾ケーブルを連結して発光ダイオードを接続していくときでも、導体１２ｄ１乃至１２ｄ４によって縦に直列接続された一連の発光ダイオードＤ１乃至Ｄ２５の組合せ同士が並列接続されている関係になることから、必要電圧を等分配することで電力供給の安定化を図ることができる。
【００２６】
導体１２ｃは、発光ダイオードのカソード側と接続されるグランド線である。図１における電飾ケーブル１のグランド線としては勿論のこと、第２連結手段１１ａ乃至１１ｄを介して連結される他の電飾ケーブルにおいても発光ダイオードのカソード側と接続されることから、グランド線を共用する状態になる。
【００２７】
導体１２ｄ１乃至１２ｄ４は、発光ダイオードＤ１乃至Ｄ２５を一連に直列接続した結線をとっており、導体１２ｂと導体１２ｄ１乃至１２ｄ４との接点Ａ１乃至Ａ４が高電位、導体１２ｃと導体１２ｄ１乃至１２ｄ４との接点Ｂ１乃至Ｂ４が低電位（≒０）となる。
【００２８】
発光ダイオードＤ１乃至Ｄ２５は、全部が同色であってもよく、一部が異色であってもよい。また、導体１２ｄ１乃至１２ｄ４ごとに異色の組合せとすることもできる。また、電飾ケーブル１は同色、連結される他の電飾ケーブルは異色であってもよい。様々な発光色の組合せが可能である。
【００２９】
［電飾ケーブル用制御装置］
電飾ケーブル用制御装置２は、点灯回路収容手段２０と、接続手段２１と、受光手段２２と、電源プラグ２３と、から構成される。
【００３０】
点灯回路収容手段２０は、後述する点灯回路３０を内蔵し、接続手段２１や受光手段２２や電源プラグ２３と電気的に接続されている。また、点灯回路収容手段２０の表面には押圧手段２０ａが凸設されている。
【００３１】
接続手段２１は、３端子の雄又は雌のピンを有し、第１連結手段１０ａと接続される。接続手段２１の３端子とそれぞれ接続されている導体の機能は、第１連結手段１０ａで説明したのと同様である。
【００３２】
受光手段２２は、外界からの光を受光して電気信号として点灯回路３０に伝えるものであり、フォトセンサー等が該当する。受光手段２２が受光する光量によって、電飾プラグに電力を供給するか否かが決まる。
【００３３】
電源プラグ２３は、点灯回路３０やそれに電気的に接続された電飾ケーブルに電力を供給するために機能する。
【００３４】
［点灯回路］
図２は、本発明の実施の形態に係る電飾ケーブル用制御装置２の点灯回路３０のブロック図である。
【００３５】
点灯回路３０は、電源プラグ２３と接続された受電部３１、受光手段２１と接続されたスイッチ部３２、接続手段２１と接続された送電部３３を有する。なお、スイッチ部３２は、受光手段２２が受光する光量を電気信号に変換して、電飾プラグに電力を供給するか否かのスイッチング機能を果たす。これにより、夕方や夜間のみに自動的に発光ダイオードを点灯・点滅させ、朝や昼間は自動的に発光ダイオードを消灯することができる。
【００３６】
ＭＰＵ３４は、送電部３３に送電すべき電力量やタイミングなどの電力供給パターンに従って電力を出力する。また、押圧手段による押圧操作によって電力供給パターンを切り替える場合などに、電力供給パターンの総合的な指令を司る。
【００３７】
記憶手段としてのＲＯＭ３５やＲＡＭ３６は、電力供給パターンを予め複数記憶したり、最後に選択された電力供給パターンを記憶したりしている。
【産業上の利用可能性】
【００３８】
本発明に係る電飾ケーブル及び電飾ケーブル用制御装置は、イルミネーションとしての魅力を十分に引き出し、かつ、利便性に富んだものとして有用である。
【図面の簡単な説明】
【００３９】
【図１】本発明の実施の形態に係る電飾ケーブル及び電飾ケーブル用制御装置を含む電飾ケーブルユニットの結線図。
【図２】本発明の実施の形態に係る電飾ケーブル用制御装置の点灯回路のブロック図。
【図３】従来の電飾ケーブルの概略図。
【符号の説明】
【００４０】
１  電飾ケーブル
２  電飾ケーブル用制御装置
１０ａ，１０ｂ  第１連結手段
１１ａ，１１ｂ，１１ｃ，１１ｄ  第２連結手段
１２ａ，１２ｂ，１２ｃ，１２ｄ１，１２ｄ２，１２ｄ３，１２ｄ４  導体
２０  点灯回路収容手段
２０ａ  押圧手段
２１  接続手段
２２  受光手段
２３  電源プラグ
３０  点灯回路
３１  受電部
３２  スイッチ部
３３  送電部
３４  ＭＰＵ
３５  ＲＯＭ
３６  ＲＡＭ
【図１】
2009058841.tif 000003
【図２】
2009058841.tif 000004
【図３】
2009058841.tif 000005